(57)【要約】【課題】デンタルフロスをより円滑に引き出すことができる歯間清掃器具を提供する。【解決手段】デンタルフロス（１６）が巻かれてなる筒状のロール（１５）と、ロールを収納するケース（１１）と、を有し、ロールの筒状の内側には芯材が配置されていない。【選択図】図２
2016131606.tif 000002
【特許請求の範囲】
【請求項１】
デンタルフロスが巻かれてなる筒状のロールと、
前記ロールを収納するケースと、を有し、
前記ロールの前記筒状の内側には芯材が配置されていない、歯間清掃器具。
【請求項２】
前記ロールからの前記デンタルフロスの引き出しは、前記ロールの筒状である内周側からの巻き出しにより行われる請求項１に記載の歯間清掃器具。
【請求項３】
前記ロールの外周は、シート状の部材である外周シートに巻かれている請求項２に記載の歯間清掃器具。
【請求項４】
前記外周シートのうち、前記ロールの外周に接する側の面には香味が付されている請求項３に記載の歯間清掃器具。
【発明の詳細な説明】
【技術分野】
【０００１】
本発明は、デンタルフロスにより歯間清掃を可能とする歯間清掃器具に関する。
【背景技術】
【０００２】
歯牙と歯牙との間を清掃する１つの手段としてデンタルフロスが良く知られ、このデンタルフロスを用いた歯間清掃器具としては様々なものが提案されている。その中には特許文献１のように、長いデンタルフロスが巻かれてなる筒状体を具備し、使用するに際しては必要な量のデンタルフロスをこの筒状体から引き出して、当該引き出した部分により歯間清掃を行う形態のものがある。これによれば、使用するたびに新しく、清潔なデンタルフロスの部位で歯間清掃をすることができる。そしてこのデンタルフロスは長く巻かれているので、少しずつ巻き出して使用すれば、１つの歯間清掃器具を長い期間にわたって使用することが可能である。
【先行技術文献】
【特許文献】
【０００３】
【特許文献１】特開平６−６３０６６号公報
【発明の概要】
【発明が解決しようとする課題】
【０００４】
しかしながら、特許文献１に記載のような歯間清掃器具では、デンタルフロスを引き出す際に引っ掛かりが生じ、円滑にデンタルフロスを引き出せないことがあった。
【０００５】
そこで本発明は、上記問題点に鑑み、デンタルフロスをより円滑に引き出すことができる歯間清掃器具を提供することを課題とする。
【課題を解決するための手段】
【０００６】
発明者は、円滑にデンタルフロスを引き出せない原因は、デンタルフロスが巻かれてなる筒状体の内側に通された芯材（フランジ、リール等と呼ばれることもある。）の端部が筒状体の端部から飛び出しており、この端部にデンタルフロスが引っ掛かることにあるとの知見を得て、本発明を完成させた。以下、本発明について説明する。ここでは分かり易さのため、図面に付した参照符号を括弧書きで併せて記載するが、本発明はこれに限定されるものではない。
【０００７】
請求項１に記載の発明は、デンタルフロス（１６）が巻かれてなる筒状のロール（１５）と、ロールを収納するケース（１１）と、を有し、ロールの筒状の内側には芯材が配置されていない、歯間清掃器具（１０）である。
【０００８】
請求項２に記載の発明は、請求項１に記載の歯間清掃器具（１０）において、ロール（１５）からのデンタルフロス（１６）の引き出しは、ロールの筒状である内周側からの巻き出しにより行われる。
【０００９】
請求項３に記載の発明は、請求項２に記載の歯間清掃器具（１０）において、ロール（１５）の外周は、シート状の部材である外周シート（１８）に巻かれている。
【００１０】
請求項４に記載の発明は、請求項３に記載の歯間清掃器具（１０）において、外周シート（１８）のうち、ロールの外周に接する側の面には香味が付されている。
【発明の効果】
【００１１】
本発明によれば、引っ掛かり等の不具合を減らし、より円滑にデンタルフロスを引き出すことができる。
【図面の簡単な説明】
【００１２】
【図１】歯間清掃器具１０の外観斜視図である。
【図２】歯間清掃器具１０の断面図である。
【図３】歯間清掃器具１０の分解斜視図である。
【発明を実施するための形態】
【００１３】
以下、本発明を図面に示す形態に基づき説明する。ただし本発明はこれら形態に限定されるものではない。
【００１４】
図１は１つの形態にかかる歯間清掃器具１０の外観斜視図、図２は歯間清掃器具１０の断面図である。また、図３には歯間清掃器具１０の分解斜視図を示した。
図１、図２、及び図３からわかるように、本形態で歯間清掃器具１０は、ケース１１、デンタルフロス１６が巻かれてなるロール１５、及び外周シート１８を有して構成されている。
【００１５】
ケース１１はロール１５をその内側に収納し、デンタルフロス１６を引き出すための開口部１２ａを有する容器状の部材であり、その具体的な形状は特に限定されることはない。
本形態のケース１１は、一端側に底を有する円筒状の本体１２を有し、他端側は本体１２の開口を開閉可能とする蓋１３が設けられている。本体１２の内側は図２から特にわかるようにロール１５を収納することができる大きさとされている。
【００１６】
本形態では本体１２の内周の直径がロール１５の外周の直径に対して大きく形成されている。これによりロール１５が本体１２の内側で動くことができ、デンタルフロス１６の引き出しをさらに円滑にする。ただし、本形態では後で説明するようにロール１５からのデンタルフロス１６の引き出しは、ロール１５の内面側から行われるので、本体１２の内周の直径をロール１５の外周の直径と同じとしてもデンタルフロス１６の円滑な引き出しは可能である。これによればケース１１をコンパクトにすることができる。
また、本体１２の軸線に沿った方向（図２の紙面上下方向）の長さは、ロール１５の軸線に沿った方向（図２の紙面上下方向）長さより長いことが好ましい。これによりデンタルフロス１６の引き出しをさらに円滑にすることができる。
【００１７】
本体１２にはデンタルフロス１６を引き出すために本体１２の内外を連通する開口部１２ａが設けられている。開口部１２ａは、ロール１５が本体１２に内包された状態で、ロール１５の端部のうち、デンタルフロス１６が引き出される側の端部１５ｃに近い側に配置されていることが好ましい。これによりデンタルフロス１６の引き出しをさらに円滑にすることができる。
【００１８】
ロール１５は、糸状であるデンタルフロス１６が巻かれて円筒状にされた部材である。従ってロール１５は中空形状であり外周部１５ａ及び内周部１５ｂを備えている。そしてロール１５の内周部１５ｂで囲まれるロール１５の内側には芯材（フランジやリールと呼ばれることもある。）やケースから立設する軸となる部材は配置されず、内周部１５ｂの表面（内表面）ではデンタルフロス１６が露出している。
【００１９】
また、ロール１５からのデンタルフロス１６の引き出しは、図２によく表れているように、ロール１５の内周部１５ｂから巻き出され、ロール１５の一方側端部１５ｃからケース１１の開口部１２ａを経て外に達するように行われる。これによれば、デンタルフロス１６は常にロール１５の内周部１５ｂから巻き出されるので、引っ掛かり等の不具合が抑えられ、デンタルフロス１６の円滑な引き出しが行われる。
【００２０】
ロール１５を形成するデンタルフロス１６は公知のものを用いることができ、特に限定されることはない。また、デンタルフロス１６に香味を付与してもよい。これにより使用者がより快適に歯間清掃を行うことができる。デンタルフロス１６に香味を付与する手段は公知の方法を用いることができ、甘味料や香味粒子を含有させること等により行うことができる。
【００２１】
外周シート１８は、デンタルフロス１６が内周部１５ｂから巻き出される態様において、ロール１５の外周部１５ａの表面を覆うようにロール１５に巻かれたシート状の部材である。これにより、デンタルフロス１６が内周部１５ｂから巻き出されてロール１５に残るデンタルフロス１６の量が減っても、ロール１５側に残ったデンタルフロス１６の形状が崩れてばらばらになることを抑制することができ、デンタルフロス１６のさらなる円滑な引き出しを可能とする。本発明では特にロール１５の内側に芯材や軸を具備していないので、当該外周シート１８によるロール１５の形状崩れ防止の効果は大きい。
外周シート１８はロール１５の外周部１５ａを全て覆ってもよく、一部だけ覆う形態でもよい。
【００２２】
外周シート１８の材質は特に限定されることはないが、紙や樹脂シート等、可撓性に優れる材料を用いることが好ましい。また、外周シート１８のうちロール１５に接触する側の面には、粘着剤が配置されていることが好ましい。粘着剤が配置されていると、ロール１５の形状崩れ防止の効果はさらに大きくなる。なお、粘着剤を配置する場合にはデンタルフロス１６を引き出す力で無理なく該デンタルフロス１６が外周シート１８から離脱する粘着力であることが好ましい。
また、当該粘着剤には香味が付与されていても良い。デンタルフロス１６にも香味が付与されている場合にはこの粘着剤の香味は当該デンタルフロス１６とは異なる香味であることが好ましい。これにより粘着剤に付与された香味がロール１５の外周部１５ａにあるデンタルフロス１６に移り、使用者にデンタルフロス１６の残量が少なくなったことを知らせることが可能となる。
【００２３】
以上のような歯間清掃器具１０は例えば次のように作製できる。すなわち、暫定的な芯材を準備し、これにデンタルフロス１６を巻き付けてロール１５とし、その後に芯材を引き抜く。そして形成されたロール１５の外周部に外周シート１８を巻き付けて粘着剤等で固定する。その後外周シート１８が巻かれたロール１５を、蓋１３が開いて開口が形成されたケース１１の本体１２に入れ、蓋１３を閉鎖する。その際には、ロール１５の内周部１５ｂからデンタルフロス１６を引き出し、端部１５ｃの側から導出して開口部１２ａを通して外部に出しておく。
【００２４】
このような歯間清掃器具１０では、使用者は開口部１２ａから出たデンタルフロス１６を必要量だけ引き出し、蓋１３の外側に配置されたカッター刃（図示なし）や、ハサミ等により切って使用することができる。歯間清掃器具１０は、ロール１５の内側に配置される芯材やケースから立設する軸を具備していない。従って、ロール１５の端部から芯材や軸が突出することもなく、ここにデンタルフロス１６が引っ掛かる等の不具合を防止でき、デンタルフロス１６の引き出しを円滑に行うことができる構造を有しており、使用者の利便性が高い。
【符号の説明】
【００２５】
１０  歯間清掃器具
１１  ケース
１２  本体
１３  蓋
１５  ロール
１６  デンタルフロス
１８  外周シート
【図１】
2016131606.tif 000003
【図２】
2016131606.tif 000004
【図３】
2016131606.tif 000005